(57)【要約】搬送波周波数オフセットを検出するためのOFDM信号受信器を開示する。受信器において信号の高速フーリエ変換（FFT）処理が行われているとき、推定器は、搬送波周波数オフセットを推定するために、FFT変換のスペクトル形状を利用する。【選択図】図３
2008504726.tif 000002
【特許請求の範囲】
【請求項１】
保護帯域を含むOFDM信号を受信するための受信器であって、
前記OFDM信号のFFT変換値を得るための手段を備え、
検出可能な前記OFDM信号のスペクトル形状が、前記OFDM信号に対する搬送波周波数オフセットを示すことになるように、該搬送波周波数オフセットを推定する推定器をさらに備えることを特徴とする、受信機。
【請求項２】
前記OFDM信号の前記検出可能なスペクトル形状は、前記FFT変換値内の１つ以上の前記保護帯域の位置に基づくものである、請求項1に記載の受信器。
【請求項３】
前記搬送波周波数オフセットを推定するために、前記推定器が前記FFT変換値の中から保護帯域の位置を１つ以上検出しうるような値域を、前記FFT変換値がカバーするように構成される、請求項１に記載の受信機。
【請求項４】
前記値域が予め定められ、前記値域内の位置が予め定められる、請求項3に記載の受信器。
【請求項５】
前記推定器は、前記OFDM信号の出力プロファイルが該信号の総出力のある割合以下である場合に、副搬送波が前記保護帯域に関連付けられることができるように、１つ以上の副搬送波に対する前記OFDM信号出力プロファイルを判断するための手段を備える、請求項1に記載の受信器。
【請求項６】
前記手段は、スライディングウィンドウ出力合計（Sliding Window Power Summation； SWPS）を含む、請求項5に記載の受信器。
【請求項７】
前記スライディングウィンドウ出力合計は、以下の式に基づいて計算されることになっている、請求項6に記載の受信器。
2008504726.tif 000006
【請求項８】
前記信号の総出力は、以下の式に基づいて計算されることになっている、請求項5に記載の受信器。
2008504726.tif 000007
【請求項９】
前記搬送波周波数オフセット推定器は、誤検出をフィルタ処理するために、前記出力プロファイルが判断されたOFDM信号の以降の処理のための基準出力を判断するための手段を備える、請求項5に記載の受信器。
【請求項１０】
前記推定器は、前記総出力の代わりに、前記基準出力を提供するように構成される、請求項9に記載の受信器。
【請求項１１】
前記出力プロファイルが前記基準出力以下である場合には、前記副搬送波が前記保護帯域に関連付けられる、請求項9に記載の受信器。
【請求項１２】
前記基準出力は、ファクタによってスケーリングされるように構成される、請求項11に記載の受信器。
【請求項１３】
前記基準出力は、以下の式に基づいて計算されるように構成される、請求項9に記載の受信器。
2008504726.tif 000008
【請求項１４】
前記推定器は、前記推定された搬送波周波数オフセットに基づいて、FFT変換の中央周波数を同調させるためのフィードバックループを確立するように構成される、請求項1に記載の受信器。
【請求項１５】
前記推定器は、ただ１回の2kモードのFFT変換によって、前記検出可能な搬送波周波数オフセットを推定するように構成される、請求項1に記載の受信器。
【請求項１６】
前記搬送波周波数オフセットの推定器は、前記OFDM信号のチャネルが、閾値以下である品質を有することが検出された場合に起動される、請求項1に記載の受信器。
【請求項１７】
保護帯域を含むOFDM信号を受信するための移動局であって、
前記OFDM信号のFFT変換値を得るための手段を備え、
前記FFT変換値内に前記保護帯域を含む検出可能なスペクトル形状が、前記OFDM信号に対する搬送波周波数オフセットを示すことになるように、該搬送波周波数オフセットを推定する手段をさらに備えることを特徴とする、移動局。
【請求項１８】
保護帯域を含むOFDM信号を受信するためのサブアセンブリであって、
前記OFDM信号のFFT変換値を得るための手段を備え、
前記FFT変換値内に前記保護帯域を含む検出可能なスペクトル形状が、前記OFDM信号に対する搬送波周波数オフセットを示すことになるように、該搬送波周波数オフセットを推定する手段をさらに備えることを特徴とする、サブアセンブリ。
【請求項１９】
保護帯域を含むOFDM信号を受信するためのチップセットであって、
前記OFDM信号のFFT変換値を得るための手段を備え、
前記FFT変換値内に前記保護帯域を含む検出可能なスペクトル形状が、前記OFDM信号に対する搬送波周波数オフセットを示すことになるように、該搬送波周波数オフセットを推定する手段をさらに備えることを特徴とする、チップセット。
【請求項２０】
保護帯域を含むOFDM信号を受信するための方法であって、
前記OFDM信号のFFT変換値を得る段階を含み、
前記FFT変換値内に前記保護帯域を含む検出可能なスペクトル形状が、前記OFDM信号に対する搬送波周波数オフセットを示すことになるように、該搬送波周波数オフセットを推定する段階をさらに備えることを特徴とする、方法。
【請求項２１】
請求項20に従う方法の段階を実行するための手段を備える、データ処理システム。
【請求項２２】
コンピュータ上で実行されるときに、請求項20の方法を実行するように構成されたコンピュータプログラムコードを含む、コンピュータプログラム。
【請求項２３】
コンピュータ可読の媒体に組み込まれる、請求項22に記載のコンピュータプログラム。
【請求項２４】
コンピュータ上で実行されるときに、請求項20の方法を実行するように構成されたプログラムコードを含む、コンピュータ可読の媒体。
【請求項２５】
請求項22のコンピュータ実行可能プログラムを搬送する、搬送媒体。
【発明の詳細な説明】
【技術分野】
【０００１】
本発明は、OFDM信号を受信するための受信器に関する。さらに、本発明は、OFDM信号を受信するための移動局、サブアセンブリ、チップセット、コンピュータプログラム、および当該の装置の使用に関する。
【背景技術】
【０００２】
直交周波数分割多重（Orthogonal Frequency Division Multiplexing； OFDM）無線技術のような、マルチキャリア信号無線技術は、概してさまざまな周波数によって非常に多くのデータを送信するために使用される。OFDMは、DVBシステムのような、デジタルブロードキャスティングシステムにおいて使用することができる。デジタル化されたものとして、それ自体がテレビおよびラジオにおいて長い歴史を持つ、ブロードキャスティングのようなマルチキャリア信号システムにおける環境および状況により、もともとは対象とされていなかった状況で、マルチキャリア信号技術を評価する必要性が生まれた。この種の状況の一例には、移動体受信が挙げられる。したがって、OFDM無線技術は、高まるモビリティの課題に直面している。
【０００３】
RF界における問題の一例には、周波数オフセットが挙げられる。当該の信号を受信するとき、キャリア中心周波数は、通常のチャネルラスタからオフセットすることが可能である。オフセットは、最大で0.5MHzとすることが可能である。既知の方法、受信器、受信器チップ、または装置は、限られた最大オフセットを有する信号に同期させることしかできない。一般に、この最大オフセットは、約130kHzである。したがって、チャネルサーチは、チャネルごとに複数のオフセットによって行わなければならない。
【０００４】
当該の、既知の同期化およびチャネルサーチ/同調は、以下に基づくことができる。チャネルサーチ中、RF復調器は、約125kHzのステップで、交渉周波数にわたってスキャンする。したがって、4つのステップ（fc-0.375MHz、fc-0.125MHz、fc+0.125MHz、fc+0.375MHz）によって、すべての可能な値域がカバーされる。
【０００５】
これは、非常に時間がかかる既知のソリューションである。特に、所与の周波数オフセットに対するすべてのチャネルサーチは、最大で数秒かかる可能性がある。したがって、移動体受信に対する同期としては時間がかかり過ぎてしまう。
【発明の開示】
【０００６】
したがって、本発明は、所要の同期を短縮するために、受信器、移動局、サブアセンブリ、チップセット、およびコンピュータプログラムを提供することを目的とする。本目的は、請求項1に基づく受信器によって達成される。本発明の更なる側面では、請求項17に記載の移動局、請求項18に記載のサブアセンブリ、請求項19に記載のチップセット、および請求項22に記載のコンピュータプログラムも提供する。さらに、当該の装置の使用およびデータシステムを提供する。
【０００７】
本発明によれば、FFT変換された受信OFDM信号のスペクトル形状は、起こりうる搬送波周波数オフセットを示すことになることができる。したがって、公知のスキャンプロセスを必要としない。スキャンプロセスにはかなりの時間がかかるので、本発明は、受信時間の大幅な短縮を達成する。さらに、受信器は、所望の周波数/チャネルに、より直接的に同調させることができる。
【０００８】
本発明の更なる実施形態では、OFDM無線信号を受信するための受信器を開示する。FFT変換は、受信信号に対して実行される。受信器に既存のFFTを用いることによって、ラフな搬送波周波数オフセット推定が、例えばただ１回の2k FFTによって導出される。例えば保護帯域の位置などのOFDM信号スペクトル形状は、搬送波オフセットを判断するように適用され、処理される。
【０００９】
さらに別の実施形態では、推定器（または、いわゆるワンショットのFFTブロック、あるいはワンショットブランチ、または搬送波周波数推定器とも称される）が、幾分直接的に利用可能なラフな周波数オフセット推定を出力する。これによって、受信器のRF変調器の±125kHzの取得値域への直接的な同調が可能になる。したがって、スキャンが不要となり、受信器における信号受信処理の時間が大幅に短縮される。
【００１０】
本発明の更なる実施形態を、従属請求項に明記した。
【更なる実施形態の説明】
【００１１】
以下、添付図面を参照して本発明について一例として説明する。本発明の更なる実施形態は、受信器の起動中の、OFDM無線信号の受信、特にチャネルサーチに関する。OFDM信号および更なる実施形態は、DVB-T/Hシステム（例、地上の、無線、携帯型、または、携帯型DVBシステム）に適用可能である。
【００１２】
簡潔に述べたように、図1は、本発明のいくつかの更なる実施形態に基づく、FFT（Fast Fourier Transformation；高速フーリエ変換）信号の保護帯域（102）を示す周波数オフセットのないスペクトルシナリオ（100）を示す図である。いくつかの更なる実施形態に基づくアルゴリズムは、保護帯域（102）を検出することに基づくものである。保護帯域（102）を図1に明確に示す。FFTは、-4.6〜4.6MHzのFFT値域（101）を完全にカバーする。したがって、保護帯域（102）を検出することが可能であり、保護帯域は一般に、-4.2〜-3.8MHz、および3.8〜4.2MHzである。スペクトル形状は、たとえば受信器のフィルタリング（103）において、図1に目立つように示すことができる。
【００１３】
［種々の更なる実施形態においてキャリアオフセットを判断する際のスライディングウィンドウ出力合計］
32の副搬送波にわたってスライディングウィンドウ出力合計（SWPS）を用いることによって、電流チャネルの出力プロファイルを導出することができる。
2008504726.tif 000003
【００１４】
ここで、Nは、式内のすべての自然数を示す。この例では、nに対する第1の値は16であり、その合計はf0からf31までの値をとる。nに対する次の値は、次の合計がf1からf32までの値をとるように、17とすることができる。最後の値は、2032（2048-u）である。したがって、2017（SWPS）を計算することができる。2017ラウンドのすべてに対して計算を実行する必要がない点に留意されたい。よって、この特徴は、種々の実施形態には重要でない。これらのより短いラウンドおよびより速い計算を、種々のさらに別の実施形態に記述する。
【００１５】
基本的に、その関連付けられたSWPSが、総出力（P）の特定の割合（p）以下である場合には、副搬送波は保護帯域（102）に属するものとみなされる。
2008504726.tif 000004
【００１６】
しかし、効率的な実施およびより短い処理時間を可能にするために、基準出力（Pref, n）は、SWPSnを計算する必要がある搬送波に基づいて計算される。
2008504726.tif 000005
pの値は、変化させることができる。一般に、p ? 0.5である。
【００１７】
以降の処理では、ある数の連続した副搬送波（一般に?200）の範囲内で、すべての副搬送波がこの基準を満たすことを確認することによって、有効に誤検出をフィルタ処理する。保護帯域（102）のより低い領域は、これらの200の連続した副搬送波のうちの第1のものによって与えられる。
【００１８】
実際の送信モードに関係なく、本発明の更なる実施形態では、単一の2kのFFTを使用して、ワンショットのFFTを適用することができる。
【００１９】
種々の実施形態を、2kモードに関連して記述した。例えば、時折実際の送信モード（2k、4k、8k）にも関係なく、その単一の2kのFFTが使用される。周波数の観点から、4kモードでは、２つの搬送波が組み合わせられる点に留意されたい。さらに、8kモードでは、それぞれ4つのキャリアを組み合わせることができる。したがって、4kおよび8kモードは、搬送波を組み合わせることによって適用可能である。4kおよび8kのモードでは、搬送波のうちのいくつかを無視することができ、2kモードに一致する搬送波に着目している。例えば、4kおよび8kのモードにおけるあらゆる更なるキャリア（例、2ｋモードの搬送波間の位置）の情報は、部分的に2kのキャリアに折り畳まれる。2kモードのFFTは十分に正確であり、また、ウィンドウ出力合計は32の副搬送波を使用することが好ましい。
【００２０】
［種々のオフセット補正］
更なる実施形態では、達成された精度を±130kHzの範囲内に、好都合に提供する。それに応じて搬送波周波数を修正することによって、残りの搬送波周波数オフセットは、好都合にFFT後の搬送波周波数の同期化の範囲内である。
【００２１】
［更なる実施形態を可能にする許容範囲］
いくつかの更なる実施形態における式は、2048の搬送波のすべて（例えばチャネル全体）に対して計算を行わなければならないことを示すことがありうるが、計算プロセスを中断して搬送波オフセット推定を見出すことができる。FFTにおいて搬送波の位置に対する十分な結果が計算されたときに、その結果は、保護帯域（102）を見いだしたことを示すことができる。したがって、搬送波オフセットを決定することができる。基準出力（Pref, n）の計算は、スライディングウィンドウ出力合計（SWPSn）の計算と、いずれも0〜2047の搬送波に対して、平行して実行されるので、（Pref, n）および（SWPSn）の全ての値を検出する前に、保護帯域を計算することができる。これは、全ての搬送波を計算する必要がない、すなわち、0〜nの（Pref, n）および（SWPSn）の搬送波を計算するだけでよいので、可能である。
【００２２】
図2の更なる実施形態を参照する。図2は、ワンショットのFFTを有する受信器（200）の簡略化した部分的なブロック図である。受信器（200）は、OFDM無線周波信号を受信するためのアンテナを備える。フロントエンド（201）は、受信器（200）での無線周波の受信を開始するための、受信器（200）内のアンテナに続く。受信器（200）はまた、受信したOFDM信号にFFTを実行するためのFFTブロック（202）も備える。FFTブロック（202）は、デジタルOFDM受信器における標準的なブロックである点に留意されたい。例えば、通常FFTは、RF信号に対して常に実行される。したがって、既存のFFTの結果の適用に有益である。さらにまた、受信器（200）は、いわゆるワンショットブロック（203）を備える。上述のように、ワンショットブロック（203）は、代わりにワンショットブランチと見なすことができるので、ワンショットのループ全体を示す。さらに、ワンショットは、図2の例に対する本発明の範囲を制限することなく、搬送波オフセットを推定するための、推定器と見なすこともできる。
【００２３】
図2を参照する。ワンショットブロック（203）は、FFTブロック（202）のFFTを得る。それによって、ワンショットブロック（203）は、直接的にラフな周波数オフセット推定を行うことができる。これは、受信器の、所望の周波数/チャネルへの直接的な同調を可能にできる。ワンショットブロック（203）の出力は、（周波数帯域における）立ち下がりが検出される、第1のチャネルの中心周波数である。概して、ワンショットブロック（203）は、同調中心周波数を制御するか、または制御するように構成される。受信器は、中心周波数に基づいて、それに応じて搬送波周波数を修正することができる。それによって、残りの搬送波周波数オフセットは、FFT後の搬送波周波数の同期化の範囲内とすることができる。
［受信器におけるワンショットブランチ］
【００２４】
概して、ワンショットブロック（203）または搬送波オフセット推定器は、受信器の通常のデータ経路の一部でなくてよい。例えば、ロジックの追加部分、すなわち、可能な搬送波周波数オフセットを判断するために一度実行するものとみなすことができる。
［制御］
【００２５】
ワンショットブロック（203）または搬送波オフセット推定器（など）は、スタンドアロンモードとすることができる。ワンショットブロック（203）は、例えばチャネルシナリオが未知である場合に、別々に起動することが必要になる場合がある。ソフトウェア、ロジックなどは、結果を取り込み、フロントエンド（201）の中心周波数を同調させて、通常の受信を起動する。すなわち、搬送波オフセットが補償される。ロジックは、ワンショットブランチまたは通常の受信の実行にわたる完全な制御を有することができる。しかし、ワンショットブロック（203）を受信におけるデフォルトのオプションにすることも可能である。例えば、信号は、ワンショットブロック（203）によって常に確認される。
【００２６】
図3を参照する。図3は、本発明の更なる実施形態に基づく、ワンショットブロックの機能ブロック図（300）である。図3の例は、組み合わせたブロックおよびプロセス図を示す。種々のブロックへの入力を「a」および「b」で示し、ブロックの出力を「c」で示す。搬送波周波数推定器におけるFFT信号の処理は、IおよびQのブランチの処理で始まる。
【００２７】
そこでは、ステップ（301）で、信号に対する|I|2+|Q|2の値が決定される。実施形態に対応するこれらの値は、（SWPSn）の式の値|fn+m|2である。ブロック（302）は、Fifoバッファを示す。基本的に、各副搬送波に対する値は、Fifoに１つずつ入力される。Fifoは、例えば、32の副搬送波に対する値を保持することができる。ステップ（303）で、ウィンドウ合計が判断される。1を加えた副搬送波（すなわち次の副搬送波）の計算、および各nに対するウィンドウ合計の「最も古い」ものを差し引く計算が行われる。例えば、ウィンドウ合計は、変数nに対する（SWPSn）の決定を表すことができる。ステップ（304）で、総合計が決定される。総合計は、ウィンドウ合計から導出される。例えば、Pref, nは、総合計の一例とすることができ、ステップ（308）で、カウントnで除され、「総合計/n」=Pref, n/nの値で与えられる。ステップ（305）で、ウィンドウ合計がスケーリングされる。スケーリングファクタは、この例では1/pである。ステップ（309）で、スケーリングされたウィンドウ合計は、nで除した「総合計」と比較される。スケーリングされたウィンドウ合計が「総合計/n」より小さければ、副搬送波nが保護帯域に属することを示す。スケーリングされたウィンドウ合計がより大きければ、副搬送波nが保護帯域に属しないことを示す。「総合計/n」より小さいウィンドウ合計の数は、ステップ（309）とステップ（310）との間のループ「cnt」において計算され、ステップ（310）で入力として使用される。この蓄積されたカウント値は、副搬送波の数を示し、値は保護帯域に属する。ステップ（310）で、最終的に、周波数オフセットが推定される。オフセットファクタ（306）は、副搬送波のスペーシングである。周波数オフセット（307）は、副搬送波のスペーシング（306）をn倍したものである。周波数オフセットは、ウィンドウ合計のスケールの信頼性の高い閾値数が、この副搬送波のインデックスで除した総合計よりも小さい、実際の副搬送波に対して有効となりうる。オフセットファクタを乗じられる副搬送波の数は、FFTの値域の始まりに対して、周波数オフセットを与えることができる。
［同調周波数に関する柔軟性］
【００２８】
同調周波数は、ロジックによって好都合に定義することができる。これは、起動フェーズの際でも、中心周波数に対する適切な第1の初期値を可能にするために、国ごとに異なりうる。
［信号にロックするための種々のシナリオ］
【００２９】
種々の更なる実施形態では、信号にロックするための異なるシナリオを記述する。場合によっては、受信器が搬送波オフセットの補正能力がなくても機能できる点に留意されたい。しかし、いずれにせよ、「標準的な」プロシージャが失敗する、などに対する明らかなニーズが存在する。
（A）チャネルおよび送信パラメータは、既知である。したがって、スキャンは必要でない。
（B）チャネルは既知であるが、送信パラメータは未知である。本実施形態では、実際のスキャンは必要でない。受信器は、十分に低いビットエラーレートが受信されるまで、異なるパラメータを確認する。
チャネル中心周波数が十分正確に満たされない場合には、これらの２つのモードは、バックアップソリューションを含むことができる。例えば、デジタルベースの帯域の受信器は、狭い値域（500Hz）でチャネルをシフトさせることができる。しかし、このプロシージャは、場合によっては非常に時間がかかりうる。
（C）新しい周波数帯域シナリオが予想されることになっている場合には、チャネルオフセットを検出するために、搬送波周波数推定器またはワンショットブランチを使用することができる。その後、上述の２つのシナリオのうちの１つは、好都合にも、時間のかかる中心周波数のデジタルシフトを用いる必要なしに、専用チャネルにロックし始めることができる。
【００３０】
（A）または（B）に関する実施形態が、適切な、または所望の受信をもたらさない場合には、ワンショットブランチまたは搬送波オフセットの検出プロシージャは、受信器のオフセットの発見を助力することが可能である。したがって、受信した信号は、それに応じて修正することができる。
［更なる実施形態］
【００３１】
種々の本発明の更なる実施形態は、多くのDVB-T/H受信器において実行することができる。いくつかの実施形態では、これは、例えばASICによって行うことができる。例えば、更なる実施形態に基づいて、OFDM信号を受信するためのチップセットは、１つ以上のASICチップとすることが可能である。しかし、類似した原理を、ソフトウェアの実施形態にも使用することができる点に留意されたい。
［効果および範囲］
【００３２】
上述の説明は多くの具体例を含むが、これらは単に本発明を示すために提供されるものであり、本発明の範囲を制限するものとして解釈されるべきものではない。したがって、本発明の趣旨または範囲から逸脱することなく、本発明の装置およびプロセスに種々の改良および変更が行えることは、当業者に明らであろう。
【図面の簡単な説明】
【００３３】
【図１】本発明のいくつかの更なる実施形態に基づく、FFT信号の保護帯域を示す周波数オフセットのない例示的なスペクトルのシナリオを示す図である。
【図２】本発明の更なる実施形態に基づく、ワンショットのFFTを有する受信器の簡略化した部分的なブロック図である。
【図３】本発明の別の更なる実施形態に基づく、ワンショットブロックの機能ブロック図である。
【図１】
2008504726.tif 000009
【図２】
2008504726.tif 000010
【図３】
2008504726.tif 000011
【国際調査報告】
2008504726.tif 000012
2008504726.tif 000013